(57)【要約】【課題】押縁の固定部位からの浸水を防止することができると共に、押縁を取り付ける際の位置決めが容易な建築用パネルにおける額縁構造を提供する。【解決手段】押縁７は固定部材８により枠体に取付けられる。固定部材８は、押縁７の見込面７２に離間対向し、見込面７２と螺子９で固定された第１見込片８２と、押縁７の第２見付面７１の下端から見込方向に突出する第２見込片８３と、を備えている。押縁７は、第１見付面７０及び第２見付面７１の下端を枠体の面部６２に当接させ、固定部材８の第２見込片８３の先端縁８３０を、凹溝６５を形成する枠体側の見付面６４に当接させた状態で、第２見込片８３を枠体の面部６２に溶接してなる。【選択図】図４
2014125782.tif 000002
【特許請求の範囲】
【請求項１】
板材が嵌め込まれた建築用パネルにおける額縁構造であって、
前記板材の端部を受け入れる凹溝の少なくとも１つは、当該凹溝の一方の見付面を備えた枠体の面部に、当該凹溝の他方の見付面を備えた押縁を取り付けることで形成されており、
前記押縁は、第１見付面と、前記他方の見付面を形成する第２見付面と、前記枠体の前記面部に対して立ち上がり状の第１見付面及び第２見付面の先端同士を連結する見込面と、を備えた長尺部材であり、固定部材を用いて前記枠体に取付けられており、
前記固定部材は、前記押縁の内部に位置して前記見込面に対向し、当該見込面と螺子で固定された第１見込片と、前記押縁の第２見付面の基端から見込方向に突出する第２見込片と、前記第１見込片と第２見込片を連結する見付片と、を備えた長尺部材であり、
前記押縁は、第１見付面及び第２見付面の基端側を前記枠体の前記面部に当接させ、当該押縁に前記螺子によって固定された固定部材の前記第２見込片の先端縁を前記枠体の前記一方の見付面に当接させた状態で、当該第２見込片を前記枠体の前記面部に溶接することで取り付けられており、前記第１見込片は、前記枠体の前記面部から離間しており、前記螺子は前記枠体の前記面部には達していない、建築用パネルにおける額縁構造。
【請求項２】
前記固定部材は、前記見付片に加えて、前記第１見込片から延びるもう一つの見付片を備えており、
前記押縁の前記第１見付面と前記固定部材の前記もう一つの見付片、および／あるいは、前記押縁の前記第２見付面と前記固定部材の前記見付片が当接している、請求項１に記載の建築用パネルにおける額縁構造。
【請求項３】
前記押縁の前記第２見付面の基端には、長さ方向に亘って間隔を存して複数の切り欠き部が形成されており、
前記固定部材の前記見付片の基端には、長さ方向に亘って間隔を存して複数の第２見込片が形成されており、
各第２見込片は、各切り欠き部を通って突出している、
請求項１または２に記載の建築用パネルにおける額縁構造。
【発明の詳細な説明】
【技術分野】
【０００１】
本発明は、ガラス板等の板材が嵌め込まれた金属製建築用パネル（間仕切り、扉等）における額縁構造に関するものである。
【背景技術】
【０００２】
建築用パネルにガラス板を嵌め込む場合には、当該パネルに設けた開口枠体に四周状の凹溝を形成して額縁を構成し、当該凹溝にガラス板の四周の端部を受け入れて固定するようにしている。通常、額縁の少なくとも一辺は、押縁を備えており、当該押縁を開口枠体に螺子で固定することで、凹溝を形成するようになっている。
【０００３】
図１２に従来の押縁の取付構造を示す。横枠の上面は、第１水平面６２´と、第１水平面６２´よりも高い高さ位置にある第２水平面６３´と、からなり、押縁７´は、横枠の第１水平面６２´に対して螺子９´を用いて固定されている。螺子９´の軸部は、第１水平面６２´を貫通して横枠内部に達している。このような額縁構造を備えたパネルの押縁７´を設けた側が屋外に面しているような場合、あるいは、屋内に面している場合であっても当該屋内が室内プール等の場合には、螺子９´を伝って横枠内に浸水し、内部が腐食するおそれがある。
【０００４】
特許文献１には、締結部材を用いたパネルにおける額縁構造が開示されているが、この構造においても、リベットが枠体を貫通しており、枠体内への浸水という同様の懸念が生じ得る。
【０００５】
押縁を開口枠に取り付ける際に、別途固定部材を設け、螺子によって押縁を固定部材に取り付けることで、当該螺子が枠体内に貫通しないようにする取付構造も検討し得るが、押縁と固定部材との位置合わせや枠体に対する押縁の位置合わせを如何に良好に行うかが課題となる。
【先行技術文献】
【特許文献】
【０００６】
【特許文献１】特開平８−１８９２５８
【発明の開示】
【発明が解決しようとする課題】
【０００７】
本発明は、押縁の固定部位からの浸水を防止することができると共に、押縁を取り付ける際の位置決めが容易な建築用パネルにおける額縁構造を提供することを目的とするものである。
【課題を解決するための手段】
【０００８】
本発明が採用した技術手段は、
板材が嵌め込まれた建築用パネルにおける額縁構造であって、
前記板材の端部を受け入れる凹溝の少なくとも１つは、当該凹溝の一方の見付面を備えた枠体の面部に、当該凹溝の他方の見付面を備えた押縁を取り付けることで形成されており、
前記押縁は、第１見付面と、前記他方の見付面を形成する第２見付面と、前記枠体の前記面部に対して立ち上がり状の第１見付面及び第２見付面の先端同士を連結する見込面と、を備えた長尺部材であり、固定部材を用いて前記枠体に取付けられており、
前記固定部材は、前記押縁の内部に位置して前記見込面に対向し、当該見込面と螺子で固定された第１見込片と、前記押縁の第２見付面の基端から見込方向に突出する第２見込片と、前記第１見込片と第２見込片を連結する見付片と、を備えた長尺部材であり、
前記押縁は、第１見付面及び第２見付面の基端側を前記枠体の前記面部に当接させ、当該押縁に前記螺子によって固定された固定部材の前記第２見込片の先端縁を前記枠体の前記一方の見付面に当接させた状態で、当該第２見込片を前記枠体の前記面部に溶接することで取り付けられており、前記第１見込片は、前記枠体の前記面部から離間しており、前記螺子は前記枠体の前記面部には達していない、建築用パネルにおける額縁構造、である。
【０００９】
１つの態様では、前記固定部材は、前記見付片（後述の実施形態における第２見付片８１）に加えて、前記第１見込片から延びるもう一つの見付片（後述の実施形態における第１見付片８０）を備えており、
前記押縁の前記第１見付面と前記固定部材の前記もう一つの見付片、および／あるいは、前記押縁の前記第２見付面と前記固定部材の前記見付片が当接している。
後述する実施形態（図１１（Ｃ））では、前記押縁の前記第１見付面と前記固定部材の前記もう一つの見付片、前記押縁の前記第２見付面と前記固定部材の前記見付片の両方の組が当接している。
押縁に固定部材を螺子で固定する際に、見付片と見付面を当接させることで、押縁に対する固定部材の位置決めを容易に行うことができる。
１つの態様では、前記押縁の前記第２見付面の基端には、長さ方向に亘って間隔を存して複数の切り欠き部が形成されており、
前記固定部材の前記見付片の基端には、長さ方向に亘って間隔を存して複数の第２見込片が形成されており、
各第２見込片は、各切り欠き部を通って突出している。
【発明の効果】
【００１０】
本発明では、押縁は固定部材を介して溶接によって枠体の面部に取り付けられており、また、押縁は螺子を用いて固定部材に固定されているが、当該螺子は、枠体にまでは達していないので、仮に、押縁を設けた側に雨水等がかかったとしても、螺子を介して枠体内部に浸水するようなことはない。
【００１１】
押縁は、固定部材の第２見込片の先端縁を、凹溝を形成する枠体側の見付面に当接させた状態で、第２見込片を前記枠体の前記面部に溶接することで取り付けられているので、第２見込片の突出寸法を先端縁が枠体側の見付面に当接した時に、枠体に対する押縁の見込方向の取付位置が決定されるような寸法に予め設定しておくことで、押縁の見込方向の位置決めを簡単に行うことができる。
【図面の簡単な説明】
【００１２】
【図１】第１実施形態に係るパネルの正面図であり、左側は室内側正面図、右側は室外側正面図である。
【図２】図１に示すパネルの横断面図である。
【図３】図１に示すパネルの縦断面図である。
【図４】図３の部分拡大図である。
【図５】第２実施形態に係るパネルの正面図であり、左側は室内側正面図、右側は室外側正面図である。
【図６】図５に示すパネルの横断面図である。
【図７】図５に示すパネルの部分縦断面図である。
【図８】図６の部分拡大図である。
【図９】押縁の取付構造を構成する要素を示す図であり、左から順に、固定部材の断面図及び第１の方向から見た図、押縁に固定部材を組み合わせたものの断面図及び第１の方向から見た図（長さ方向両端部に左右の竪枠を示す）、押縁に固定部材を組み合わせたものの断面図及び第１の方向に直交する第２の方向から見た図、押縁、の断面図及び第２の方向から見た図、を示している。
【図１０】図９の部分拡大図である。
【図１１】（Ａ）〜（Ｃ）は固定部材の他の形態を示す図である。
【図１２】従来の押縁の取付構造を示す図である。
【発明を実施するための形態】
【００１３】
図１は、第１実施形態に係る鋼製建築用パネルの正面図であり、左側は室内側正面図、右側は室外側正面図である。本明細書において、「室内側」、「室外側」という表現は、パネルを挟んでの実際の「室内」、「室外」の意味の他に、２つの要素の相対的な位置関係を規定する場合にも用いることに留意されたい。パネル１のフレームは、上枠２、下枠３、左右の竪枠４、５からなる四周枠と、所定高さにおいて左右の竪枠４、５間で水平状に延びる中間横枠６と、からなる。中間横枠６の室外側部位には、押縁７が取り付けられている。上枠２、下枠３、中間横枠６は、水平状に延びる長尺材であり、竪枠４、５は垂直状に延びる長尺材である。
【００１４】
上枠２、左右の竪枠４、５の上側部位、中間横枠６から上側開口が形成され、中間横枠６、左右の竪枠４、５の下側部位、下枠３から下側開口が形成されている。上側開口には、上枠２、左右の竪枠４、５の上側部位、中間横枠６を額縁として上側ガラス板Ｇ１が嵌め込まれており、下側開口には、中間横枠６、左右の竪枠４、５の下側部位、下枠３を額縁として下側ガラス板Ｇ２が嵌め込まれている。
【００１５】
図２に示すように、竪枠４は、室外側見付面４０と、室内側見付面４１と、室外側見付面４０と室内側見付面４１を連結するように延びる見込面４２と、を備えており、見込面４２には、高さ方向に延びる凹溝４３が形成されている。同様に、竪枠５は、室外側見付面５０と、室内側見付面５１と、室外側見付面５０と室内側見付面５１を連結するように延びる見込面５２と、を備えており、見込面５２には、高さ方向に延びる凹５３溝が形成されている。凹溝４３、５３には、ガラス板Ｇ１、Ｇ２の幅方向両端部が受け入れられて固定される。
【００１６】
図３に示すように、上枠２は、室外側見付面２０と、室内側見付面２１と、室外側見付面２０と室内側見付面２１を連結するように延びる下面２２と、を備えており、下面２２には、水平方向に延びる下向きの凹溝２３が形成されている。凹溝２３には、ガラス板Ｇ１の上端部が受け入れられて固定される。
【００１７】
図３に示すように、中間横枠６は、室外側見付面６０と、室内側見付面６１と、室外側見付面６０と室内側見付面６１の上端同士を連結する段部状の上面と、を備えている。段部状の上面は、室外側の第１水平面６２と、室内側の第２水平面６３と、を備え、第２水平面６３は第１水平面６２よりも高い高さ位置にあり、第１水平面６２の室内側端縁と第２水平面６３の室外側端縁とは垂直状の見付面６４によって連結されている。
【００１８】
第１水平面６２には、中間横枠６の長さ方向に亘って延びる押縁７が第１水平面６２に対して立ち上がり状に設けられる。押縁７と、見付面６４と、第１水平面６２の室内側部位と、から水平方向に延びる上向きの凹溝６５が形成されている。より具体的には、図４に示すように、押縁７は、室外側の垂直状の第１見付面７０と、室内側の垂直状の第２見付面７１と、第１見付面７０と第２見付面７１の上端同士を連結する水平状の見込面（上面）７２と、から断面視コ字形状を備え、押縁７は、第２見付面７１を見付面６４に離間対向させるようにして取り付けられる。第２見付面７１と、見付面６４と、第１水平面６２の室内側部位と、から水平方向に延びる上向きの凹溝６５が形成されている。凹溝６５には、ガラス板Ｇ１の下端部が受け入れられて固定される。
【００１９】
中間横枠６は、さらに、室外側見付面６０と室内側見付面６１の下端同士を連結するように延びる下面６６を備えており、下面６６には、水平方向に延びる下向きの凹溝６７が形成されている。凹溝６７には、ガラス板Ｇ２の上端部が受け入れられて固定される。
【００２０】
図３に示すように、下枠３は、室外側見付面３０と、室内側見付面３１と、室外側見付面３０と室内側見付面３１を連結する段部状の上面と、を備えている。段部状の上面は、室外側の第１水平面３２と、室内側の第２水平面３３と、を備え、第２水平面３３は第１水平面３２よりも高い高さ位置にあり、第１水平面３２の室内側端縁と第２水平面３３の室外側端縁とは垂直状の見付面３４によって連結されている。
【００２１】
第１水平面３２には、下枠３の長さ方向に亘って延びる押縁７が第１水平面３２に対して立ち上がり状に設けられる。中間横枠６で説明したことと同様に、押縁７（第２見付面７１）と、見付面３４と、第１水平面３２の室内側部位と、から水平方向に延びる上向きの凹溝３５が形成されている。凹溝３５には、ガラス板Ｇ２の下端部が受け入れられて固定される。
【００２２】
図５は、第２実施形態に係る鋼製建築用パネルの正面図であり、左側は室内側正面図、右側は室外側正面図である。パネル１´のフレームは、上枠２、下枠３、左右の竪枠４、５からなる四周枠と、左右の竪枠４、５間で水平状に延びる中間横枠６と、からなる。竪枠４、５の上側部位、中間横枠６の室外側部位には、押縁７がそれぞれ取り付けられている。上枠２、下枠３、中間横枠６は、水平状に延びる長尺材であり、竪枠４、５は垂直状に延びる長尺材である。上枠２、左右の竪枠４、５の上側部位、中間横枠６から上側開口が形成され、中間横枠６、左右の竪枠４、５の下側部位、下枠３から下側開口が形成され、上側開口には、上枠２、左右の竪枠４、５の上側部位、中間横枠６を額縁としてガラス板Ｇが嵌め込まれており、下側開口には、中間横枠６、左右の竪枠４、５の下側部位、下枠３を扉枠として、扉体Ｄが設けてある。
【００２３】
図６、図８に示すように、竪枠４は、室外側見付面４０と、室内側見付面４１と、室外側見付面４０と室内側見付面４１を連結する段部状の見込面と、を備えている。段部状の見込面は、室外側の第１見込面４２０と、室内側の第２見込面４２１と、を備え、第２見込面４２１は第１見込面４２０よりもパネル内方（他方の竪枠５側）に位置しており、第１見込面４２０の室内側端縁と第２見込面４２１の室外側端縁とは垂直状の見付面４２２によって連結されている。
【００２４】
竪枠４の上側部位において、第１見込面４２０には、高さ方向に亘って延びる押縁７が第１見込面４２０に対して立ち上がり状に設けられる。押縁７は、室外側の垂直状の第１見付面７０と、室内側の垂直状の第２見付面７１と、立ち上がり状の第１見付面７０及び第２見付面７１の先端同士を連結する見込面７２と、から断面視コ字形状を備え、押縁７は、第２見付面７１を見付面４２２に離間対向させるようにして取り付けられる。第２見付面７１と、見付面４２２と、第１見込面４２０の室内側部位と、から高さ方向に延びる凹溝４３が形成されている。凹溝４３には、ガラス板Ｇの幅方向端部が受け入れられて固定される。
【００２５】
同様に、竪枠５は、室外側見付面５０と、室内側見付面５１と、室外側見付面５０と室内側見付面５１を連結する段部状の見込面と、を備えている。段部状の見込面は、室外側の第１見込面５２０と、室内側の第２見込面５２１と、を備え、第２見面５２１は第１見込面５２０よりもパネル内方（他方の竪枠４側）に位置しており、第１見込面５２０の室内側端縁と第２見込面５２１の室外側端縁とは垂直状の見付面５２２によって連結されている。
【００２６】
竪枠５の上側部位において、第１見込面５２０には、高さ方向に亘って延びる押縁７が第１見込面５２０に対して立ち上がり状に設けられる。竪枠４で説明したことと同様に、押縁７（第２見付面７１）と、見付面５２２と、第１見込面５２０の室内側部位と、から高さ方向に延びる凹溝５３が形成されている。凹溝５３には、ガラス板Ｇの幅方向端部が受け入れられて固定される。
【００２７】
図７に示すように、上枠２は、室外側見付面２０、室内側見付面２１、室外側見付面２０と室内側見付面２１を連結するように延びる下面２２と、を備えており、下面２２には、水平方向に延びる下向きの凹溝２３が形成されている。凹溝２３には、ガラス板Ｇの上端部が受け入れられて固定される。
【００２８】
図７に示すように、中間横枠６は、室外側見付面６０と、室内側見付面６１と、室外側見付面６０と室内側見付面６１を連結する段部状の上面と、を備えている。段部状の上面は、室外側の第１水平面６２と、室内側の第２水平面６３と、を備え、第２水平面６３は第１水平面６２よりも高い高さ位置にあり、第１水平面６２の室内側端縁と第２水平面６３の室外側端縁とは見付面６４によって連結されている。
【００２９】
第１水平面６２には、中間横枠６の長さ方向に亘って延びる押縁７が第１水平面６２に対して立ち上がり状に設けられる。押縁７は、室外側の垂直状の第１見付面７０と、室内側の垂直状の第２見付面７１と、第１見付面７０と第２見付面７１の上端同士を連結する水平状の見込面（上面）７２と、から断面視コ字形状を備え、押縁７は、第２見付面７１を見付面６４に離間対向させるようにして取り付けられる。第２見付面７１と、見付面６４と、第１水平面６２の室内側部位と、から水平方向に延びる上向きの凹溝６５が形成されている。凹溝６５には、ガラス板Ｇの下端部が受け入れられて固定される。
【００３０】
押縁７の取付構造について詳細に説明する。押縁７は、当該押縁７が取り付けられる枠体の長さ方向に沿って、水平方向ないし垂直方向に延びる長尺部材であり、取り付けられる枠体の面部に対して立ち上がり状に凸設される。押縁７は、室外側の垂直状の第１見付面７０と、室内側の垂直状の第２見付面７１と、立ち上がり状の第１見付面７０及び第２見付面７１の先端同士を連結する見込面７２と、から断面視コ字形状を備えている。押縁７を水平方向に延びる枠（下枠３、中間横枠６）に設けた場合には、見込面７２は水平状の上面となる。押縁７を垂直方向に延びる枠（竪枠４、５）に設けた場合には、見込面７２は垂直状の側面となる。
【００３１】
図４、７、８に示すように、押縁７は、固定部材８を用いて、額縁を構成する枠体（第１実施形態では、中間横枠６、下枠３、第２実施形態では、中間横枠６、竪枠４、５の上側部位）に取り付けられる。押縁７の室外側の第１見付面７０と、室内側の第２見付面７１とは同じ高さ（立ち上がり寸法）を備えているが、第２見付面７１の基端には、長さ方向に亘って間隔を存して所定高さ切り欠いて切り欠き部７３が形成されている。押縁７の第１見付面７０及び第２見付面７１の基端を枠体の面（第１水平面３２、６２、第１見込面４２０、５２０）に当接させた状態において、切り欠き部７３によって第２見付面７１の基端と前記面（第１水平面３２、６２、第１見込面４２０、５２０）との間に隙間が形成されるようになっている。後述するように、かかる隙間を利用して固定部材８の第２見込片８３が見込方向に突出している。また、押縁７の第２見付面７１の基端は、複数の切り欠き部７３を備えているものの、長さ方向に間隔を存した複数の基端（切り欠いていない部位）が面（第１水平面３２、６２、第１見込面４２０、５２０）に当接することで、安定して取り付けられる。
【００３２】
固定部材８は、押縁７の長さ方向に延びる長尺部材であるが、図９に示すように、押縁７の長さ寸法よりも少し短い寸法となっている。図４、７、８に示すように、固定部材８は、室外側の垂直状の第１見付片８０と、室内側の垂直状の第２見付片８１と、立ち上がり状の第１見付片８０及び第２見付片８１の先端同士を連結する第１見込片８２と、第２見付片８１の基端から室内側に向かって延びる第２見込片８３と、を備えている。押縁７を水平方向に延びる枠（下枠３、中間横枠６）に設けた場合には、第１見込片８２、第２見込片８３は水平片であり、第１見込片８２に対して第２見込片８３は低い高さに位置しており、第２見付片８１の下端から見込方向に水平状に延出する。押縁７を垂直方向に延びる枠（竪枠４、５）に設けた場合には、第１見込片８２、第２見込片８３は垂直片であり、第１見込片８２に対して第２見込片８３はパネル内方に位置している。
【００３３】
固定部材８は長尺部材であるが、図９、図１０に示すように、第２見込片８３は、比較的短尺であり、長さ方向に間隔を存して複数突成されている。第２見込片８３は幅方向（固定部材８の長さ方向）に一定の同幅であり、各第２見込片８３の突出寸法は同じであり、各第２見込片８３の先端縁８３０は同一面（見付面３４、６４、４２２、５２２に平行する面）上に位置している。
【００３４】
固定部材８の第１見付片８０及び第２見付片８１の高さは、押縁７の第１見付面７０及び第２見付面７１の高さよりも低い。固定部材８の第１見付片８０・第２見付片８１間の距離（第１見込片８２の見込寸法）は、押縁７の第１見付面７０・第２見付面７１間の距離（見込面７２の見込寸法）よりも小さい。固定部材８の第２見込片８３の長さ方向の幅寸法は、押縁７の第２見付面７１の基端の切り欠き部７３の長さ方向の幅寸法よりも小さく、固定部材８の第２見込片８３の板厚は、押縁７の第２見込面７１の基端の切り欠き部７３の高さ寸法よりも小さい。また、固定部材８の第２見込片８３同士の間隔は、押縁７の第２見込面７１の基端の切り欠き部７３同士の間隔に対応している。押縁７の見付面７２、固定部材８の第１見込片８２には、長さ方向に間隔を存して、それぞれ、皿孔９０、タップ加工された雌螺子孔９１（図９、図１０参照）が形成されている。
【００３５】
押縁７と固定部材８とは、凸状の押縁７の内部に固定部材８の凸状部位を受け入れ、押縁７の第２見込面７１の基端の各切り欠き部７３から固定部材８の対応する第２見込片８３を見込方向に突出させた状態で、見込面７２と第１見込片８２とを螺子９で固定する。より具体的には、押縁７の第１見付面７０・第２見付面７１間に、固定部材８の第１見付片８０、第２見付片８１、第１見込片８２、を位置させ、第１見付面７０、第２見付面７１、第１見付片８０、第２見付片８１の基端を同一面内に位置させ、第２見込片８３を第２見込面７１の基端の切り欠き部７３から突出させ、離間対向している見込面７２と第１見込片８２とを螺子９で固定する。なお、図示の形態では、見込面７２と第１見込片８２は離間しているが、螺子９で固定できるものであれば、見込面７２と第１見込片８２は近接ないし当接していてもよい。
【００３６】
このように、押縁７をパネル１、１´の枠体に取り付けることに先立って、押縁７と固定部材８とを螺子９で連結することで押縁アセンブリ（押縁７＋固定部材８）が形成される。第２見込片８３の突出寸法は、第２見込片８３の先端縁８３０が凹溝（凹溝３５、６５、４３、５３）を形成する枠側の見付面（見付面３４、６４、４２２、５２２）に当接した時に、枠体に対する押縁７の見込方向の取付位置が決定されるような寸法に予め設定されている。したがって、押縁アセンブリを枠体に取り付ける時に、第２見込片８３の先端縁８３０を凹溝３５、６５、４３、５３を形成する枠側の見付面３４、６４、４２２、５２２に当接するように位置させることで、押縁７の見込寸法の位置決めが行われる。
【００３７】
中間横枠６、下枠３に取り付けられる押縁７の長さ寸法は、左右の竪枠４、５間の寸法、より具体的には、竪枠４の見込面４２（竪枠４に押縁７を設けた場合には、押縁７の見込面７２）と竪枠５の見込面５２（竪枠５に押縁７を設けた場合には、押縁７の見込面７２）との間の寸法に略一致しており、押縁７の長さ方向両端部が、それぞれ竪枠４の見込面４２、竪枠５の見込面５２に当接するような寸法に設定されており、予め固定部材８を螺子９によって押縁７に固定して押縁アセンブリを用意しておくことで、固定部材８の長さ方向の位置決めが不要である。
【００３８】
竪枠４、５に取り付けられる押縁７の長さ寸法は、上枠２と中間横枠６間の寸法、より具体的には、上枠２の下面２２と中間横枠６の上面（第１水平面６２）との間の寸法に略一致しており、押縁７の長さ方向両端部が、それぞれ上枠２の下面２２、中間横枠６の上面に当接するような寸法に設定されており、予め固定部材８を螺子９によって押縁７に固定して押縁アセンブリを用意しておくことで、固定部材８の長さ方向の位置決めが不要である。
【００３９】
押縁アセンブリは、押縁７の第１見付面７０及び第２見付面７１の基端側を枠体の面部（第１水平面３２、６２、第１見込面４２０、５２０）に当接させ、固定部材８の第２見込片８３を枠体の面部（第１水平面３２、６２、第１見込面４２０、５２０）に当接させると共に、第２見込片８３の先端縁８３０を凹溝３５、６５、４３、５３を形成する枠側の見付面３４、６４、４２２、５２２に当接するように位置させて、押縁７の見込寸法の位置決めを行った状態で、第２見込片８３を枠体の面部（第１水平面３２、６２、第１見込面４２０、５２０）に溶接することで取り付けられる。
【００４０】
この時、固定部材８の第１見込片８２は、面部（第１水平面３２、６２、第１見込面４２０、５２０）から離間しており、螺子９は面部（第１水平面３２、６２、第１見込面４２０、５２０）には達していない。押縁７を枠（下枠３、中間横枠６、竪枠４、５）に取り付ける際に、螺子９が枠（下枠３、中間横枠６、竪枠４、５）を貫通することはなく、したがって、押縁７が取り付けられたパネル１、１´の室外側に雨水がかかったとしても、枠（下枠３、中間横枠６、竪枠４、５）内部に浸水するようなことがない。
【００４１】
図示の実施形態では、パネル１、１´の室外側に押縁７を取り付けた態様を示したが、本発明は、このような態様に限定されるものではなく、パネルの室内側に取り付けられた押縁についても適用することができる。例えば、室内プール等のように室内側に水が存在する環境では有用である。図示の態様では、凹溝を形成する枠側の見付面は、枠体と一体形成されているが、特許文献１のように、枠体に対して連結した額縁本体から当該見付面を形成してもよい。
【００４２】
固定部材８はひしゃく状の形状に限定されるものではなく、螺子９が固定される第１見込片８２、先端縁８３０が枠側に当接する第２見込片８３を備えていれば、他の形状であってもよい。他の形状に係る固定部材８を図１１（Ａ）、（Ｂ）に例示する。図１１（Ａ）では、固定部材８は、室外側の垂直状の第１見付片８０´と、室内側の垂直状の第２見付片８１と、立ち上がり状の第１見付片８０´の基端と第２見付片８１の先端を連結する第１見込片８２と、第２見付片８１の基端から室内側に向かって延びる第２見込片８３と、を備えており、第１見付片８０´と第２見付片８１は、第１見込片８２に対して互いに異なる方向に延びている。より具体的には、第１見付片８０´は、第１見込片８２に対して立ち上がり状に上方に延びており、先端（上端）が押縁７の見込面７２にまで達している。図１１（Ｂ）では、固定部材８は、室内側の垂直状の第２見付片８１と、第１見込片８２と、第２見付片８１の基端から室内側に向かって延びる第２見込片８３と、からなり、第１見付片８０、８０´に相当する部位を備えていない。
【００４３】
上述の実施形態では、例えば、図４に示すように、固定部材８の第１見付片８０・第２見付片８１間の距離（第１見込片８２の見込寸法）は、押縁７の第１見付面７０・第２見付面７１間の距離（見込面７２の見込寸法）よりも小さく、第１見付面７０と第１見付片８０、第２見付面７１と第２見付片８１は、それぞれ隙間を存して離間対向しているが、第１見付面７０と第１見付片８０、第２見付面７１と第２見付片８１のいずれか一方あるいは両方が当接ないし密接するようにしてもよい。図１１（Ｃ）に示す態様では、第１見付面７０と第１見付片８０、第２見付面７１と第２見付片８１が、共に近接ないし密接している。図１１（Ｃ）では、固定部材８の第１見付片８０・第２見付片８１の外面間の距離は、押縁７の第１見付面７０・第２見付面７１間の内面間の距離と略同じであり、押縁７と固定部材８とは、凸状の押縁７の内部に固定部材８の凸状部位を嵌着させるように受け入れ、押縁７の第２見付面７１の基端の各切り欠き部７３から固定部材８の対応する第２見込片８３を見込方向に突出させた状態で、見込面７２と第１見込片８２とを螺子９で固定している。
【符号の説明】
【００４４】
１、１´  パネル
２  上枠
３  下枠
３２  第１水平面
３３  第２水平面
３４  見付面
３５  凹溝
４  竪枠
４２０  第１見込面
４２１  第２見込面
４２２  見付面
４３  凹溝
５  竪枠
５２０  第１見込面
５２１  第２見込面
５２２  見付面
５３  凹溝
６  中間横枠
６２  第１水平面
６３  第２水平面
６４  見付面
６５  凹溝
７  押縁
７０  第１見付面
７１  第２見付面
７２  見込面
８  固定部材
８０  第１見付片
８１  第２見付片
８２  第１見込片
８３  第２見込片
８３０  先端縁
９  螺子
Ｇ１、Ｇ２、Ｇ  ガラス板
【図１】
2014125782.tif 000003
【図２】
2014125782.tif 000004
【図３】
2014125782.tif 000005
【図４】
2014125782.tif 000006
【図５】
2014125782.tif 000007
【図６】
2014125782.tif 000008
【図７】
2014125782.tif 000009
【図８】
2014125782.tif 000010
【図９】
2014125782.tif 000011
【図１０】
2014125782.tif 000012
【図１１】
2014125782.tif 000013
【図１２】
2014125782.tif 000014